(57)【要約】【課題】  低コスト、且つ応答性の向上を図った超音波美容器を提供する。【解決手段】  負荷検出回路１０からの負荷検出信号Ｖｅ、移動検出回路１１からの移動検出信号Ｖｆに応じてデューティ比制御回路８はデューティ制御信号Ｖｂのオンデューティを設定し、超音波発振回路４に入力される発振用パルス信号Ｖｃのオンデューティがデューティ制御信号Ｖｂのオンデューティに応じて変化することで、超音波発振回路４が超音波振動子２に印加する発振電圧Ｖｄのオンデューティが変化して、超音波出力が可変となる。【選択図】図１
2006181291.tif 000002
【特許請求の範囲】
【請求項１】
肌に接触する金属部、この金属部の肌当接面と反対側に設けられる超音波振動子をハウジングに納装して成るプローブと、発振出力により超音波振動子を駆動する超音波発振回路と、超音波発振回路から超音波振動子への出力のオンデューティを可変とする制御を行う発振制御部とを備えたことを特徴とする超音波美容器。
【請求項２】
プローブの金属部の肌への接触・非接触を検出する負荷検出回路を備え、発振制御部は、負荷検出回路により金属部の肌への接触状態を検出したときは超音波発振回路から超音波振動子への出力のオンデューティを高くし、非接触状態を検出したときは超音波発振回路から超音波振動子への出力のオンデューティを低くすることを特徴とする請求項１記載の超音波美容器。
【請求項３】
発振制御部は、超音波発振回路から超音波振動子への出力のオンデューティを徐々に変化させることを特徴とする請求項１または２記載の超音波美容器。
【請求項４】
プローブの金属部が移動していることを検出する移動検出回路を備え、発振制御部は、移動検出回路により金属部が移動している状態を検出したときは超音波発振回路から超音波振動子への出力のオンデューティを高くし、金属部が移動していない状態を検出したときは超音波発振回路から超音波振動子への出力のオンデューティを低くすることを特徴とする請求項１乃至３いずれか記載の超音波美容器。
【請求項５】
超音波振動子の温度を検出する温度検出回路を備え、発振制御部は、温度検出回路が検出した超音波振動子の温度が低いときは超音波発振回路から超音波振動子への出力のオンデューティを高くし、超音波振動子の温度が高いときは超音波発振回路から超音波振動子への出力のオンデューティを低くすることを特徴とする請求項１乃至４いずれか記載の超音波美容器。
【請求項６】
負荷検出回路により金属部の肌への非接触状態を検出していること、および移動検出回路により金属部が移動していない状態を検出していることを一定間隔で報知する報知回路を備えることを特徴とする請求項４記載の超音波美容器。
【発明の詳細な説明】
【技術分野】
【０００１】
本発明は、超音波美容器に関するものである。
【背景技術】
【０００２】
予め特定の化粧材を顔等に塗布した後に、超音波照射用のプローブをその塗布部分に当てて超音波を照射することにより、化粧材の肌への浸透を促進させる超音波美容器が従来から提供されている。
【０００３】
これら従来の超音波美容器は、肌に接触する金属部と、この金属部の肌当接面と反対側に設けられる超音波振動子をハウジングに納装して成るプローブを具備しており、超音波振動子が振動することで、金属部を介して超音波を放射している。そして、超音波振動子を駆動する電圧を変化させることで超音波出力を可変としていた。
【０００４】
例えば、図１２に示すように、出力電圧が異なる複数の定電圧回路１０１ａ，１０１ｂ，．．．を備えて、超音波発振回路１０２は、図１３（ａ）（ｂ）に示すように定電圧回路１０１ａの出力電圧Ｖ１０、あるいは定電圧回路１０１ｂの出力電圧Ｖ２０を超音波振動子１０３への出力レベルとし、パルス発振回路１００が出力する発振信号に同期して超音波振動子１０３を振動させている。そして、出力電圧Ｖ１０＞出力電圧Ｖ２０であり、超音波振動子１０３への出力電圧を出力電圧Ｖ１０あるいは出力電圧Ｖ２０に切り替えることで、超音波振動子１０３の振動振幅を切り替えて、超音波出力を可変としていた。
【０００５】
あるいは、図１４に示すように可変電圧回路１０４を備えて、超音波発振回路１０２を介した超音波振動子１０３への出力電圧Ｖ３０を変化させることで、超音波振動子１０３の振動振幅を変化させて、超音波出力を可変としていた。（例えば、特許文献１参照）
【特許文献１】特開平１１−１１４０００号公報（段落番号［００１４］，［００２４］、図１）
【発明の開示】
【発明が解決しようとする課題】
【０００６】
しかし、上記従来の超音波美容器は、超音波出力を可変とするために複数の定電圧回路１０１ａ，１０１ｂ，．．．あるいは可変電圧回路１０４を用いており、コスト高の要因となっていた。
【０００７】
さらに超音波振動子１０３を駆動する電圧の大きさを変化させることで超音波出力を可変とする振幅制御を行っているため応答性が悪かった。
【０００８】
本発明は、上記事由に鑑みてなされたものであり、その目的は、低コスト、且つ応答性の向上を図った超音波美容器を提供することにある。
【課題を解決するための手段】
【０００９】
請求項１の発明は、肌に接触する金属部、この金属部の肌当接面と反対側に設けられる超音波振動子をハウジングに納装して成るプローブと、発振出力により超音波振動子を駆動する超音波発振回路と、超音波発振回路から超音波振動子への出力のオンデューティを可変とする制御を行う発振制御部とを備えたことを特徴とする。
【００１０】
この発明によれば、超音波出力のオンデューティを可変として超音波出力を変化させることで、定電圧回路を１つのみ用いて構造を簡単にしてコストを低減することができ、さらには振幅制御に比べて応答性の向上を図ることができる。
【００１１】
請求項２の発明は、請求項１において、プローブの金属部の肌への接触・非接触を検出する負荷検出回路を備え、発振制御部は、負荷検出回路により金属部の肌への接触状態を検出したときは超音波発振回路から超音波振動子への出力のオンデューティを高くし、非接触状態を検出したときは超音波発振回路から超音波振動子への出力のオンデューティを低くすることを特徴とする。
【００１２】
この発明によれば、金属部が肌に接触していないときには超音波振動子から金属部を介して放射される超音波のレベルを低下させ、肌に接触する金属部の不要な温度上昇を抑えることができる。
【００１３】
請求項３の発明は、請求項１または２において、発振制御部は、超音波発振回路から超音波振動子への出力のオンデューティを徐々に変化させることを特徴とする。
【００１４】
この発明によれば、急激なオンデューティ変化による過電流を防止できる。
【００１５】
請求項４の発明は、請求項１乃至３いずれかにおいて、プローブの金属部が移動していることを検出する移動検出回路を備え、発振制御部は、移動検出回路により金属部が移動している状態を検出したときは超音波発振回路から超音波振動子への出力のオンデューティを高くし、金属部が移動していない状態を検出したときは超音波発振回路から超音波振動子への出力のオンデューティを低くすることを特徴とする。
【００１６】
この発明によれば、金属部が移動していないときには超音波振動子から金属部を介して放射される超音波のレベルを低下させ、金属部が肌の一所に長く留まって低温やけどを引き起こすことを防止できる。
【００１７】
請求項５の発明は、請求項１乃至４いずれかにおいて、超音波振動子の温度を検出する温度検出回路を備え、発振制御部は、温度検出回路が検出した超音波振動子の温度が低いときは超音波発振回路から超音波振動子への出力のオンデューティを高くし、超音波振動子の温度が高いときは超音波発振回路から超音波振動子への出力のオンデューティを低くすることを特徴とする。
【００１８】
この発明によれば、超音波振動子が異常振動を起こして温度が上昇したときに超音波出力を停止させることで超音波振動子の温度上昇を防止し、金属部が発熱することなく安全性を確保することができる。
【００１９】
請求項６の発明は、請求項４において、負荷検出回路により金属部の肌への非接触状態を検出していること、および移動検出回路により金属部が移動していない状態を検出していることを一定間隔で報知する報知回路を備えることを特徴とする。
【００２０】
この発明によれば、使用状態を報知することができ、安全性の向上を図ることができる。
【発明の効果】
【００２１】
以上説明したように、本発明では、定電圧回路を１つのみ用いて構造を簡単にしてコストを低減することができ、さらには振幅制御に比べて応答性の向上を図ることができるという効果がある。
【発明を実施するための最良の形態】
【００２２】
以下、本発明の実施の形態を図面に基づいて説明する。
【００２３】
（実施形態１）
図１に本発明の実施形態１のブロック図を示す。本実施形態の超音波美容器は、肌に接触する金属部１、この金属部１の肌当接面１ａと反対側に設けられる超音波振動子２をハウジング３ａに納装して成るプローブ３と、発振出力により超音波振動子２を駆動する超音波発振回路４と、超音波発振回路４から超音波振動子２への出力のオンデューティを可変とする制御を行う発振制御部５と、プローブ３の金属部１の肌への接触・非接触を検出する負荷検出回路１０と、プローブ３の超音波振動子２の移動を検出する移動検出部１１とを備えている。
【００２４】
図２に示すように、プローブ３のハウジング３ａは使用者が手で把持するための把手部３ｃと、把手部３ｃの先端に設けられる本体部３ｂとから成り、本体部３ｂに金属部１が取り付けてある。
【００２５】
金属部１は有底筒形に形成されており、人の肌に接触させる肌当接面１ａの裏側（反対側）に圧電素子等から成る超音波振動子２が貼着してある。而して、超音波振動子２の振動が金属部１を伝播し、金属部１の肌当接面１ａから外部へ超音波が照射されるのである。なお、以下で括弧書きする数値は参考値であって、これに限定されるものではない。
【００２６】
発振制御部５は、超音波振動子２を駆動させる所定周波数（１ＭＨｚ）の発振用パルス信号Ｖａを出力するパルス発振回路７と、Ｈレベルとなるオンデューティを可変としたデューティ制御信号Ｖｂ（オンデューティ可変で周波数６６Ｈｚの方形パルス信号）を出力するデューティ比制御回路８と、発振用パルス信号Ｖａとデューティ制御信号Ｖｂとを入力とし、デューティ制御信号ＶｂがＨレベルのときのみ所定周波数の発振用パルス信号Ｖｃを出力するＡＮＤ素子９と、電源スイッチＳＷ１及び電流ヒューズＦを介して商用交流電源（ＡＣ１００Ｖ）からの電源供給を受けて定電圧を超音波発振回路４に出力する定電圧回路６と、デューティ比制御回路８に接続された操作スイッチＳＷ２とを備えている。
【００２７】
超音波発振回路４はコルピッツ発振回路から成る従来周知の回路構成を有し、発振制御部５からの発振用パルス信号Ｖｃに同期して所定周波数の発振電圧Ｖｄを電線２０を介して超音波振動子２に印加することにより、超音波振動子２を間欠的に駆動するものである。すなわち、デューティ比制御回路８が出力するデューティ制御信号Ｖｂのオンデューティを可変とすることで超音波振動子２の超音波出力を可変としており、このオンデューティの期間内は周波数、振幅一定で超音波振動子２を駆動する。図３（ａ）はオンデューティＴｏｎ１の超音波出力波形、図３（ｂ）はオンデューティＴｏｎ２の超音波出力波形であり、ここでオンデューティＴｏｎ１＜Ｔｏｎ２であり、オンデューティＴｏｎ２で駆動するほうがオンデューティＴｏｎ１で駆動するより、超音波出力は大きくなる。
【００２８】
負荷検出回路１０は、超音波発振回路４から超音波振動子２に流れる電流Ｉｃを検出し、その検出値を所定のしきい値と比較する判定回路を備え、判定回路の比較結果を負荷検出信号Ｖｅ（Ｈレベル又はＬレベルの信号）として、発振制御部５が具備するデューティ比制御回路８に出力するものである。すなわち、金属部１が肌と非接触の状態では金属部１の振動振幅が最大となるために超音波振動子２の電気的インピーダンスが小さくなり（２０Ω）、反対に金属部１が肌と接触している状態では金属部１の振動振幅が小さくなるために超音波振動子２のインピーダンスが大きくなる（４０Ω）ので、電流Ｉｃの検出値の変化によって金属部１の肌への接触・非接触を検出することができる。
【００２９】
金属部１を肌に接触させた場合には超音波振動子２から放射される超音波のエネルギが肌に伝わるために金属部１での不要な温度上昇は起こらないが、金属部１を肌に接触させていない場合には金属部１の不要な温度上昇が生じる。そこで、このような金属部１の不要な温度上昇を防止するために、負荷検出回路１０により金属部１の肌への接触・非接触を検出し、デューティ比制御回路８は、負荷検出回路１０からの負荷検出信号Ｖｅに応じてデューティ制御信号ＶｂがＨレベルになるオンデューティを変化させる。
【００３０】
すなわち、金属部１の肌への接触状態を検出しているとき（負荷有り時）は、デューティ比制御回路８が出力するデューティ制御信号Ｖｂのオンデューティを高くすることで、ＡＮＤ素子９が出力する発振用パルス信号Ｖｃのオンデューティを高くし、超音波発振回路４が出力する発振電圧Ｖｄのオンデューティを高くして、超音波振動子２の超音波出力を大きくしている。一方、金属部１の肌への非接触状態を検出しているとき（負荷無し時）は、デューティ比制御回路８が出力するデューティ制御信号Ｖｂのオンデューティを低くすることで、ＡＮＤ素子９が出力する発振用パルス信号Ｖｃのオンデューティを低くし、超音波発振回路４が出力する発振電圧Ｖｄのオンデューティを低くして、超音波振動子２の超音波出力を小さくして、金属部１の不要な温度上昇を防止している。
【００３１】
また、移動検出回路１１も超音波発振回路４から超音波振動子２に流れる電流Ｉｃを検出する。この電流Ｉｃの検出値には、超音波振動子２の超音波振動を表わす高周波成分に加えて、金属部１の肌上での移動時に伴って生じる摺動音に基づく低周波成分が含まれる。そこで、移動検出回路１１は、電流Ｉｃの検出値から上記低周波成分を取り出すローパスフィルターと、ローパスフィルターの出力を所定のしきい値と比較する判定回路とで構成され、判定回路の比較結果を移動検出信号Ｖｆ（Ｈレベル又はＬレベルの信号）として、発振制御部５が具備するデューティ比制御回路８に出力するものである。すなわち、金属部１が肌に接触して移動している状態では摺動音に基づく低周波成分が大きくなり、金属部１が肌に接触して移動していない状態では摺動音に基づく低周波成分が小さくなるので、電流Ｉｃの検出値に含まれる低周波成分の変化によって金属部１の肌上での移動を検出することができる。
【００３２】
金属板１を長い間同じ箇所に接触させていると低温やけどを起こしてしまうことがある。そこで、低温やけどの発生を防止するために、移動検出回路１１により金属部１の肌上での移動を検出し、デューティ比制御回路８は、移動検出回路１１からの移動検出信号Ｖｆに応じてデューティ制御信号ＶｂがＨレベルになるオンデューティを変化させる。
【００３３】
すなわち、金属部１の肌上での移動状態を検出しているときは、デューティ比制御回路８が出力するデューティ制御信号Ｖｂのオンデューティを高くすることで、ＡＮＤ素子９が出力する発振用パルス信号Ｖｃのオンデューティを高くし、超音波発振回路４が出力する発振電圧Ｖｄのオンデューティを高くして、超音波振動子２の超音波出力を大きくしている。一方、金属部１が肌上で移動していない状態を検出しているときは、デューティ比制御回路８が出力するデューティ制御信号Ｖｂのオンデューティを低くすることで、ＡＮＤ素子９が出力する発振用パルス信号Ｖｃのオンデューティを低くし、超音波発振回路４が出力する発振電圧Ｖｄのオンデューティを低くして、超音波振動子２の超音波出力を小さくして、低温やけどの発生を防止している。
【００３４】
図４は操作のフローチャートを示し、まず電源スイッチＳＷ１をオンすることで電源がオンし、次に操作スイッチＳＷ２を１回押下すると超音波出力が小さい弱モードになり、２回押下すると超音波出力が大きい標準モードになり、３回押下すると超音波出力を停止する。すなわち、操作スイッチＳＷ２を押下する毎に、弱モード→標準モード→停止の順に切り替わるのである。
【００３５】
図５は弱モードでの動作を示すフローチャートであり、弱モードが開始されると（ステップＳ１）、デューティ比制御回路８は、まずデューティ制御信号Ｖｂのオンデューティを１０％に設定することで、超音波発振回路４が出力する発振電圧Ｖｄをオンデューティ１０％に設定し（ステップＳ２）、負荷検出回路１０からの負荷検出信号Ｖｅに応じて、負荷の有り／無しを判別する（ステップＳ３）。金属部１の肌への接触状態を検出していない場合（負荷無し）は、ステップＳ２に戻ってオンデューティ１０％での動作を継続し、金属部１の肌への接触状態を検出している場合（負荷有り）は、オンデューティ３０％での動作に切り替える（ステップＳ４）。そしてオンデューティ３０％での動作時に、再び負荷の有り／無しを判別し（ステップＳ５）、金属部１の肌への接触状態を検出していない場合（負荷無し）は、ステップＳ２に戻ってオンデューティ１０％での動作に切り替え、金属部１の肌への接触状態を検出している場合（負荷有り）は、オンデューティ３０％での動作を継続して、移動検出回路１１からの移動検出信号Ｖｆに応じて、移動の有り／無しを判別する（ステップＳ６）。金属部１の肌上での移動状態を検出していない場合（移動無し）は、ステップＳ２に戻ってオンデューティ１０％での動作に切り替え、金属部１の肌上での移動状態を検出している場合（移動有り）は、ステップＳ４に戻ってオンデューティ３０％での動作を継続する。
【００３６】
図６は標準モードでの動作を示すフローチャートであり、ステップＳ１１〜ステップＳ１６は、弱モードのステップＳ１〜ステップＳ６に各々対応しており、弱モードとの違いは、金属部１の肌への接触状態を検出し（負荷有り）、且つ金属部１の肌上での移動状態を検出している場合（移動有り）は、オンデューティ５０％での動作を行なう点である（ステップＳ１４）。
【００３７】
図７は、デューティ比制御回路８による標準モード時のオンデューティ可変動作を示しており、オンデューティＤを１０％から５０％まで可変させるときは、所定時間Ｔ１（１５ｍｓｅｃ）毎にオンデューティＤを１０％刻みで５０％になるまで段階的に可変させて、トータル時間Ｔ０（７５ｍｓｅｃ＝１５ｍｓｅｃ×５）後にオンデューティＤが５０％に達するように制御する。弱モード時にオンデューティＤを１０％から３０％まで可変させるときは、所定時間Ｔ１（１５ｍｓｅｃ）毎にオンデューティを１０％刻みで３０％になるまで段階的に可変させる。オンデューティを徐々に変化させることで、急激なオンデューティ変化による負荷の増大を抑制して、超音波振動子２に過電流が流れることを防止している。
【００３８】
このように、本実施形態では、１つの定電圧回路６を用いて、超音波出力のオンデューティを可変として超音波出力を変化させることで、複数の定電圧回路や可変電圧回路を用いた従来例に比べて構造が簡単でコストを低減することができ、さらには従来例の振幅制御に比べて応答性が向上している。
【００３９】
（実施形態２）
図８に本発明の実施形態２のブロック図を示す。本実施形態の超音波美容器は、実施形態１の構成に報知回路１２を設けたもので、報知回路１２は、負荷検出回路１０が出力する負荷検出信号Ｖｅ、移動検出回路１１が出力する移動検出信号Ｖｆに基づいて、ＬＥＤの点滅、あるいはブザーの鳴動等によって報知動作を行う。
【００４０】
図９は標準モードでの動作を示すフローチャートであり、標準モードが開始されると（ステップＳ２１）、デューティ比制御回路８は、まずデューティ制御信号Ｖｂのオンデューティを１０％に設定することで、超音波発振回路４が出力する発振電圧Ｖｄをオンデューティ１０％に設定し（ステップＳ２２）、負荷検出回路１０からの負荷検出信号Ｖｅに応じて、負荷の有り／無しを判別する（ステップＳ２３）。金属部１の肌への接触状態を検出していない場合（負荷無し）は、報知回路１２による報知動作が１５秒間隔で行なわれる（ステップＳ２７）。金属部１の肌への接触状態を検出している場合（負荷有り）は、オンデューティ５０％での動作に切り替える（ステップＳ２４）。
【００４１】
そしてオンデューティ５０％での動作時に、再び負荷の有り／無しを判別し（ステップＳ２５）、金属部１の肌への接触状態を検出していない場合（負荷無し）は、報知回路１２による報知動作が１５秒間隔で行なわれる（ステップＳ２７）。金属部１の肌への接触状態を検出している場合（負荷有り）は、オンデューティ５０％での動作を継続して、次に移動検出回路１１からの移動検出信号Ｖｆに応じて、移動の有り／無しを判別する（ステップＳ２６）。金属部１の肌上での移動状態を検出していない場合（移動無し）は、報知回路１２による報知動作が１５秒間隔で行なわれる（ステップＳ２７）。金属部１の肌上での移動状態を検出している場合（移動有り）は、ステップＳ２４に戻ってオンデューティ５０％での動作を継続する。
【００４２】
ステップＳ２７において報知回路１２による報知動作が１５秒間隔で行なわれるが、この報知動作が連続１０回行なわれるまでは（ステップＳ２８）、ステップＳ２２に戻って上記動作を繰り返す。報知動作が連続１０回行なわれた場合は（ステップＳ２８）、報知回路１２から定電圧回路６へ異常停止信号Ｖｇが出力され、定電圧回路６は超音波発振回路４への出力を停止して超音波出力を異常停止させる（ステップＳ２９）。
【００４３】
このように、報知回路１２によって、金属部１の肌への非接触状態、および金属部１が移動していない状態を所定間隔で報知することで、安全性をより確保することができる。
【００４４】
なお、この報知動作は弱モード時においても同様に行なわれる。
【００４５】
（実施形態３）
図１０に本発明の実施形態３のブロック図を示す。本実施形態の超音波美容器は、実施形態２の構成に温度検出回路１３と温度センサ１４とを設けたもので、温度センサ１４は超音波振動子２の近傍に配置され、温度検出回路１３は温度センサ１４の出力によって超音波振動子２の温度を検出する。
【００４６】
図１１は標準モードでの動作を示すフローチャートであり、標準モードが開始されると（ステップＳ３１）、デューティ比制御回路８は、まずデューティ制御信号Ｖｂのオンデューティを１０％に設定することで、超音波発振回路４が出力する発振電圧Ｖｄをオンデューティ１０％に設定し（ステップＳ３２）、負荷検出回路１０からの負荷検出信号Ｖｅに応じて、負荷の有り／無しを判別する（ステップＳ３３）。金属部１の肌への接触状態を検出していない場合（負荷無し）は、報知回路１２による報知動作が１５秒間隔で行なわれる（ステップＳ４０）。金属部１の肌への接触状態を検出している場合（負荷有り）は、温度検出回路１３からの温度検出信号Ｖｈに応じて、超音波振動子２の温度が３８℃以下であればオンデューティ５０％での動作に切り替え（ステップＳ３５）、温度３８〜４５℃であればオンデューティ２０％での動作に切り替え（ステップＳ３６）、温度が４５℃以上であれば温度検出回路１３から定電圧回路６へ異常停止信号Ｖｇが出力され、定電圧回路６は超音波発振回路４への出力を停止して超音波出力を異常停止させる（ステップＳ３７）。
【００４７】
そしてオンデューティ２０％あるいは５０％での動作時に、再び負荷の有り／無しを判別し（ステップＳ３８）、金属部１の肌への接触状態を検出していない場合（負荷無し）は、報知回路１２による報知動作が１５秒間隔で行なわれる（ステップＳ４０）。金属部１の肌への接触状態を検出している場合（負荷有り）は、オンデューティ２０％あるいは５０％での動作を継続して、次に移動検出回路１１からの移動検出信号Ｖｆに応じて、移動の有り／無しを判別する（ステップＳ３９）。金属部１の肌上での移動状態を検出していない場合（移動無し）は、報知回路１２による報知動作が１５秒間隔で行なわれる（ステップＳ４０）。金属部１の肌上での移動状態を検出している場合（移動有り）は、ステップＳ３３に戻る。
【００４８】
ステップＳ４０において報知回路１２による報知動作が１５秒間隔で行なわれるが、この報知動作が連続１０回行なわれるまでは（ステップＳ４１）、ステップＳ３２に戻って上記動作を繰り返す。報知動作が連続１０回行なわれた場合は（ステップＳ４１）、報知回路１２から定電圧回路６へ異常停止信号Ｖｇが出力され、定電圧回路６は超音波発振回路４への出力を停止して超音波出力を異常停止させる（ステップＳ４２）。
【００４９】
このように、超音波発振回路４の異常動作等により超音波振動子２が異常振動を起こして温度が上昇すれば超音波出力のオンデューティを低くし、さらに温度が上昇すれば超音波出力を異常停止させることで、安全性をより確保することができる。
【００５０】
なお、この温度検出動作および報知動作は弱モード時においても同様に行なわれる。
【図面の簡単な説明】
【００５１】
【図１】本発明の実施形態１の超音波美容器の構成を示すブロック図である。
【図２】同上のプローブの側面断面図である。
【図３】（ａ）は低出力時（ｂ）は高出力時の同上の超音波出力波形図である。
【図４】同上のスイッチ操作の動作フロー図である。
【図５】同上の弱モード時の動作フロー図である。
【図６】同上の標準モード時の動作フロー図である。
【図７】同上の標準モード時のオンデューティ可変動作を示す図である。
【図８】本発明の実施形態２の超音波美容器の構成を示すブロック図である。
【図９】同上の標準モード時の動作フロー図である。
【図１０】本発明の実施形態３の超音波美容器の構成を示すブロック図である。
【図１１】同上の標準モード時の動作フロー図である。
【図１２】従来の超音波美容器の概略構成を示すブロック図である。
【図１３】（ａ）は高出力時（ｂ）は低出力時の従来の超音波出力波形図である。
【図１４】従来の超音波美容器の別の概略構成を示すブロック図である。
【符号の説明】
【００５２】
１  金属部
２  超音波振動子
３  プローブ
４  超音波発振回路
５  発振制御部
６  定電圧回路
７  パルス発振回路
８  デューティ比制御回路
９  ＡＮＤ素子
１０  負荷検出回路
１１  移動検出部
【図１】
2006181291.tif 000003
【図２】
2006181291.tif 000004
【図３】
2006181291.tif 000005
【図４】
2006181291.tif 000006
【図５】
2006181291.tif 000007
【図６】
2006181291.tif 000008
【図７】
2006181291.tif 000009
【図８】
2006181291.tif 000010
【図９】
2006181291.tif 000011
【図１０】
2006181291.tif 000012
【図１１】
2006181291.tif 000013
【図１２】
2006181291.tif 000014
【図１３】
2006181291.tif 000015
【図１４】
2006181291.tif 000016